(57)【特許請求の範囲】
【請求項１】
製品を積載するパレットと該パレットに着脱可能なスタンドとからなり、該スタンドが、複数本の支柱と、これら支柱間を連結するとともに支柱間隔を調整自在な連結部材とからなる物流運搬保管装置において、上記支柱が中空部材からなり、隣り合う該支柱間のスパンを決めるために上記支柱の上端に装着するステーを、上記支柱内部に収納可能としてなることを特徴とする物流運搬保管装置。
【請求項２】
上記支柱の上端に、上記連結部材を装着するための支持部材を設け、該支持部材が、上記連結部材により上記支柱間隔を可変するときに保持可能な取手部を有することを特徴とする請求項１の物流運搬保管装置。
【請求項３】
上記支持部材が、上記支柱の上端に搭載するパレットに設けた開口部に嵌着可能であることを特徴とする請求項１または２の物流運搬保管装置。
【発明の詳細な説明】
【０００１】
【発明の属する技術分野】
本発明は、工業製品、その部品、家具その他の各種物品を運搬し、またはこれらを保管するために用いる物流運搬保管装置に関する。
【０００２】
【従来の技術】
この種の物流運搬保管装置としては、物品を載置するパレットと、このパレットの４隅にその物品載置面に対して垂直に立上った状態で取り付けられた４本の支柱と、互いに隣り合う支柱間同士を固定連結する連結部材とによって構成した装置が広く用いられている。このような物流運搬保管装置では、４本の支柱の内側の空間に物品を収容し、これをパレット上に載置し、物流運搬保管装置ごと物品を運搬する。また、物流運搬保管装置に収容した物品を倉庫等に保管するときは、複数の物流運搬保管装置を上下に積み重ねておくことができ、倉庫内のスペースを有効に活用することができる。
【０００３】
この種の物流運搬保管装置は、非使用時に格納する際に、そのままでは大きなスペースをとるため、４本の支柱と連結部材をパレットから取り外す必要がある。支柱と連絡部材を一緒に折り畳むことができる物流運搬保管装置も公知であるが、あまりコンパクトに折り畳むことができていなかった。
【０００４】
そこで本出願人は、物品が載置されるパレットと、このパレットの４隅にその物品載置面に対してほぼ垂直に立上った状態で、かつ着脱可能に取り付ける４本の支柱と、パレットの各辺において互いに隣り合って取り付ける２本の支柱間の間隔を調整可能にこれら２本の支柱をそれぞれ連結する連結部材とを備え、パレットの物品載置面とは反対側に、他の物流運搬保管装置の４本の支柱の上部が着脱可能に連結される連結部を有する物流運搬保管装置を提案した。
【０００５】
【発明が解決しようとする課題】
ところで、このような物流運搬保管装置では、回収物流過程での回収時の安全性が図られている必要があるが、本出願人が提案したような装置では、製品着荷時の開梱作業において支柱間を連結している連結部がパンタグラフ状に動くため、連結部を構成するフレーム状の部材で作業者の指を挟んでしまうおそれがある。また、支柱の間隔を決めるためのステーが分離されてしまうため、移動の時等に振動や衝撃等の外的ストレスによって回収ユニットから脱落したり、破損、変形したりするというおそれもあり、回収効率面ではあまり効率的ではなかった。このような事情は、倉庫等の保管時においても同様である。
【０００６】
そこで本発明は、簡易包装仕様の輸送環境における開梱、回収に対して安全で効率的な機能を保有することができる物流運搬保管装置を提供することを目的とする。具体的には、請求項１に係る発明は、支柱間のスパンを決めるステーの収納性向上によって装置のコンパクト化や、回収性を向上させることを図り、請求項２に係る発明は、支柱間のスパンを決めるステーに取手を設けることで組み立て、開梱時の安全性を向上させることを図り、請求項３に係る発明は、支柱間のスパンを決めるステーの取手が回収時のパレット開口部に嵌合することで回収時の作業性、支柱の品質保持（輸送時の破損防止性）を向上させることを図った物流運搬保管装置を提供することを目的とする。
【０００７】
【課題を解決するための手段】
本発明の物流運搬保管装置のうち請求項１に係るものは、上記目的を達成するために、製品を積載するパレットと該パレットに着脱可能なスタンドとからなり、該スタンドが、複数本の支柱と、これら支柱間を連結するとともに支柱間隔を調整自在な連結部材とからなる物流運搬保管装置において、上記支柱が中空部材からなり、隣り合う該支柱間のスパンを決めるために上記支柱の上端に装着するステーを、上記支柱内部に収納可能としてなることを特徴とする。
【０００８】
同請求項２に係るものは、上記目的を達成するために、上記支柱の上端に、上記連結部材を装着するための支持部材を設け、該支持部材が、上記連結部材により上記支柱間隔を可変するときに保持可能な取手部を有することを特徴とする。
【０００９】
同請求項３に係るものは、上記目的を達成するために、上記支持部材が、上記支柱の上端に搭載するパレットに設けた開口部に嵌着可能であることを特徴とする。
【００１０】
【発明の実施の形態】
以下本発明の実施の形態を図面を参照して説明する。
図１は、本発明に係る物流運搬保管装置の一実施形態を示す斜視図である。本実施形態の物流運搬保管装置は、複写機のような物品を搭載するパレット１と、パレット１上に搭載しまたパレット１を搭載する（搭載状態は図示せず）ためのスタンド１０とからなる。
【００１１】
パレット１は、例えばスチール等の金属や木材などの剛性の大きな材料を用いており、矩形の平板材等からなるデッキボード２と、その下面に固定した角柱状の２本の桁材３とから構成してある。桁材３は、後述のようにスタンド１０上に搭載するための断面が略三角形状の凹部４が下面に形成してある。デッキボード２と桁材３は、溶接や接着剤などによって固着してあるものや、容易に分解できるようにねじ等によって組み合わせ、固定してあるものなどどのようなものでもよい。
【００１２】
またスタンド１０は４本の支柱１１を有し、これらの支柱１１は、図２に示すように、パレット１の４隅にほぼ垂直に立上った状態で、かつ着脱可能に取り付けてある。各支柱１１は、中空金属製のパイプからなり、デッキボード２の４隅に下部を嵌着することによって着脱可能となっている。嵌着構造については公知の構造を用いればよいので図示及び説明は省略する。
【００１３】
各支柱１１は、それぞれその長手方向に沿って摺動可能に取り付けた３個の継手１２・・・を備え、各継手１２には、隣り合う２本の支柱１１、１１間を連結する連結部材１３、１３が、クロスするように回動可能にピン留めしてある。連結部材１３には、たとえば細板状の金属製部材を用い得る。
【００１４】
パレット１には、運搬すぺき物品の大きさに対応した各種サイズのものを予め用意、選択するが、選択したパレット１のサイズに応じて支柱１１の間隔が異なるため、この間隔に合致するように、パレット１へ取り付ける前に支柱１１の間隔を調節する。すなわち、継手１２を摺動させつつ一組の隣り合う２本の支柱１１、１１に力を加えてそれらの間隔を離間あるいは接近させる。するとこれに連動して、各支柱１１の間隔が同じ割合で離間あるいは接近する。すなわちパンタグラフ状の動作を行う。その後、４本の支柱１１をパレット１の４隅に着脱可能に取り付ける。
【００１５】
上述のように支柱１１をパレット１に取り付けることによって組み立てた物流運搬保管装置においては、４本の支柱１１と、連結部材１３によって囲まれた収容空間に物品を収容できる。この状態で、例えばフォークリフトのフォークをパレット１の下側に差し込み、フォークを上昇させることにより物流運搬保管装置を持ち上げて物品を運搬できる。また、物品を搭載したままの物流運搬保管装置をトラックや船舶、鉄道車両に移し、これを輸送することができる。
【００１６】
ただし、支柱１１の間隔が変化しないようにする必要がある。このため図示の実施形態装置は、少なくとも２本の支柱１１、１１の上端の間に、ステー１４を張り渡すようになっている。ステー１４は丸棒状の部材で、中空部材であっても中実部材であってもいずれでもよいが、支柱１１の内径よりも細い径を有し、取り外し、保管時等には図中の右側２本の支柱１１のように支柱１１の内部へ挿入して収納できるようにする。なおステー１４は一対の支柱１１、１１間に１本のみ張り渡すだけでもよいが、図ではステー１４を内部へ収納した支柱１１、１１間にも張り渡すほうが支柱１１の間隔維持のためには好ましい。
【００１７】
支柱１１の上端には、張り渡すステー１４の取り付け部材を兼ねて取手部材１５を着脱可能に嵌着するようになっている。図２は支柱１１の上端部分に取手部材１５を装着した状態の斜視図、図３は図２の矢印Ａ方向から見た正面図、図４は図２の矢印Ｂ方向から見た側面断面図、図５は図４中のＣ−Ｃ線に沿う断面図である。
【００１８】
支柱１の上端に嵌合させる取手１５は、積載するパレット１の桁材３の凹部４と嵌合し得るように断面が略三角形状の突部１６を有し、その斜面１７でパレット１やそれに搭載した物品によって掛かる荷重を受け、その荷重を分散させるようにしてある。また、突部１６の一側には積載したパレット１がズレることを防止するためのストッパ部１８が突設してある。
【００１９】
さらに突部１６の上面のストッパ部１８と反対側の頂部を切り欠いてステー１４の端部を受ける支持凹部１９を設け、この支持凹部１９内に、ステー１４の切り欠き２０と嵌合させる位置決め部２１をリブ状に形成してある。なお位置決め部２１は、支持凹部１９の補強リブも兼用して設けてある。
【００２０】
また、取手１５のベース部２２の下部には、ベース部２２の両側縁が突出する段付き形状となるようにサイド部２３が設けてあり、持ちやすさを有する形状としてある。またサイド部２３は、それらの間に支柱１１の上端部を係合保持し得るように下内側縁を若干膨らませて形成してクリック部２４としてある。このため取手１５の支柱１１への着脱は容易に行える。なお、支柱１１と取手１５の嵌合は、たとえばサイド部２３の内側に中空筒部を下方へ開口させて設け、その内面にネジを切り、支柱１１の上端部の外周面にもこれと対応するネジを切り、これらによって噛合させるようにすることにより、支柱１１への取手１５の支持性を向上させることができる。
【００２１】
また図４に示すように、本実施形態の物流運搬保管装置は、その上に載せるパレット１が、桁材３よりも下方へ突出する構造部分を有し、その開口部２５から取手１５をパレット１内へ入れ、ベース部２２とサイド部２３の間の段付き部分のベース部２２の下面がパレット１の構造部分上に載るようにして、いわゆるツバ部分で荷重を受けるようにする。
【００２２】
そして本実施形態の物流運搬保管装置は、非使用時には支柱１１内にステー１４を収納することでコンパクトな収納形態とし、回収性を向上させる。支柱１１内にステー１４を収納すると、支柱１１とステー１４が分離することがないため、紛失する心配がない。
【００２３】
また組み立てや開梱時には、取手１５を利用して支柱１１に力を掛け、連結部材１３のパンタグラフ機能を利用してたたんだり、開いたりするが、取手１５を利用して作業できるため連結部材１３で作業者の指を挟んだりすることはない。
【００２４】
また取手１５をパレット１の開口部２５内に嵌合させるので、回収時の作業が容易になり、移動時や輸送時に支柱が破損しにくくなる。
【００２５】
【発明の効果】
請求項１に係る物流運搬保管装置は、以上説明してきたように、支柱間のスパンを決める連結部材を支柱内に収納するので、コンパクトにたたむことができるようになり、回収性が向上し、支柱と連結部材が別々になることがないので連結部材を紛失することもなくせるという効果がある。
【００２６】
請求項２に係る物流運搬保管装置は、以上説明してきたように、支柱上端に連結部材を取り付けるための支持部材が取手部を有するようにしたので、上記共通の効果に加え、組み立てや開梱時に安全に操作できるという効果がある。
【００２７】
請求項３に係る物流運搬保管装置は、以上説明してきたように、支持部材を回収時のパレット開口部に嵌合させ得るので、上記共通の効果に加え、回収時の作業が容易になり、移動、輸送時の支柱の破損を防ぎ、支柱の品質を保持できるという効果がある。
【図面の簡単な説明】
【図１】本発明に係る物流運搬保管装置の一実施形態を示す斜視図である。
【図２】図１の物流運搬保管装置で支柱の上端部分に取手部材を装着した状態の斜視図である。
【図３】図２の矢印Ａ方向から見た正面図である。
【図４】図２の矢印Ｂ方向から見た側面断面図である。
【図５】図４中のＣ−Ｃ線に沿う断面図である。
【符号の説明】
１  パレット
２  デッキボード
３  桁材
４  凹部
１０  スタンド
１２  継手
１３  連結部材
１４  ステー
１５  取手部材
１６  突部
１７  斜面
１８  ストッパ部
１９  支持凹部
２０  切り欠き
２１  位置決め部
２２  ベース部
２３  サイド部
２４  クリック部
２５  開口部
【図１】
0004005289.tif 000002
【図２】
0004005289.tif 000003
【図３】
0004005289.tif 000004
【図４】
0004005289.tif 000005
【図５】
0004005289.tif 000006